(57)【要約】【課題】医療用装置をポールに固定するための操作が容易な医療装置用クランプの提供。【解決手段】  本発明の医療装置用クランプは、クランプ本体部と、被把持要素の長手方向の軸に対して垂直な軸を中心として回転自在であり、かつ被把持要素をクランプ本体部に対して付勢力により常に押圧可能な手段と、被把持要素と接触する部位において摩擦抵抗を増大する手段とを有することにより、医療装置を被把持要素に対して第1次的に固定可能、もしくは操作者が医療装置を容易に保持可能な第１クランプ部と、被把持要素に接触する押圧部と、押圧部にて被把持要素を該クランプ本体部に対して圧縮的に押圧可能とする機構により医療装置を被把持要素に対して第２次的に確実に固定可能な第２クランプ部を具備し、第1クランプ部による第１次的な固定をした後に、第２クランプ部にて第2次的な固定をすることにより医療装置を被把持部に固定可能とすることを特徴とする。【選択図】図１
2006218172.tif 000002
【特許請求の範囲】
【請求項１】
医療装置を被把持要素に対して着脱自在に固定する医療装置用クランプであって、該医療装置用クランプは該被把持要素と部分的に囲むように接触するクランプ本体部と、
該被把持要素の長手方向の軸に対して垂直な軸を中心として回転自在であり、かつ該被把持要素を該クランプ本体部に対して付勢力により常に押圧可能な手段と、該被把持要素と接触する部位において摩擦抵抗を増大する手段とを有することにより、該医療装置を該被把持要素に対して第1次的に固定可能、もしくは操作者が該医療装置を容易に保持可能な第１クランプ部と、
該被把持要素に接触する押圧部と、該押圧部にて該被把持要素を該クランプ本体部に対して圧縮的に押圧可能とする機構により該医療装置を該被把持要素に対して第２次的に確実に固定可能な第２クランプ部を具備し、
該第1クランプ部による第１次的な固定をした後に、該第２クランプ部にて第2次的な固定をすることにより該医療装置を該被把持部に固定可能とすることを特徴とする医療装置用クランプ
【請求項２】
前記クランプ本体部に前記被把持要素を押圧している前記第１クランプ部を解放可能にする解放手段を具備する請求項１記載の医療装置用クランプ。
【請求項３】
前記第1クランプにおいて、前記被把持部と接触する部位に水平方向に溝を形成する、かつ／あるいはゴム等の摩擦係数の大きな素材を付加することにより、該被把持要素と該第1クランプとの間の摩擦抵抗を増大させることを特徴とする請求項１または２記載の医療装置用クランプ。
【請求項４】
前記第２クランプ部は、前記押圧部と、該押圧部と連結されたネジ付きシャフトと、該ネジ付きシャフトを手動にて駆動可能なノブまたはレバーから成り、該ネジ付きシャフトと係合するネジ穴が前記クランプ本体部に備えられていることにより、該ノブまたはレバーを回転操作することで該押圧部が該被把持部を該クランプ本体部に対して圧縮的に押圧可能となることを特徴とする請求項１から３記載の医療装置用クランプ。
【請求項５】
前記押圧部と、前記クランプ本体に回転自在で取付けられていて、かつその回転軸上にネジ穴が形成されているノブまたはレバーと、該ネジ穴と係合するネジ付きシャフトから成り、該ノブまたはレバーを回転移動させることで、該押圧部が前記被把持要素を前記クランプ本体に圧縮的に押圧可能な前記第２クランプ部において、該第２クランプ部は該押圧部が該被把持要素を押圧する方向に付勢力を有し、かつ該ネジ付きシャフトは側面上のある角度の弧においてネジ部を有していなく、かつ該ノブまたはレバーの該ネジ穴において該ネジ付きシャフトのネジ部を有する角度以上の範囲においてネジ部を有していないことより、前記ノブまたはレバーが特定の位置にある場合に該ネジ付きシャフトの雄ネジ部と該ノブまたはレバーのネジ穴の雌ネジ部が係合されず、前記押圧部と該押圧部に連結されている前記ネジ付きシャフトが、付勢力により該被把持要素と接触する位置まで押圧する方向にスライドすることにより、該ノブまたはレバーを少ない角度だけ手動で回転させることで容易に該押圧部が該被把持部を該クランプ本体部に対して圧縮的に押圧可能となることを特徴とする請求項１ないし３記載のいずれかに記載の医療装置用クランプ。
【発明の詳細な説明】
【技術分野】
【０００１】
本発明は、患者へ薬剤等の注入を行なう輸液ポンプ，シリンジポンプ等の各種医療用装置を輸液スタンドのポールに取り付けるための医療装置用クランプに関する。
【背景技術】
【０００２】
従来のクランプは、ネジ付きシャフトを駆動し被把持要素であるポール(カードル棒)を圧縮的に押圧することによりクランプとポールとを摩擦接触をさせる機能があるノブまたはレバーを備えている(特許文献１：実開平２−１２３２４６号公報)。しかしながら、従来のクランプを用いて医療装置をポールに固定するには、片手で医療装置を保持しつつ、もう一方の手でクランプのノブまたはレバーを操作する必要がある。このことは医療装置の落下による破損の危険性、および輸液ポンプ、シリンジポンプ、呼吸器等の患者の容態に影響を与える医療装置の場合には重大な医療事故につながる危険性がある。さらに、片手では保持できない医療装置などは、一人作業ではポールに固定する作業は極めて困難、あるいは不可能である。また、医療装置をポールから取り外す作業は固定する作業よりも危険性が高い。取り外す医療装置を片手にて十分に持つことができる操作者であっても、クランプのノブまたはレバーを操作し、医療装置を保持している側の手に急に医療装置の重量が加わった場合には、その重量変化に対応しきれず落下させてしまう危険性がある。また、操作者が取り外す医療装置の重量を把握していない医療装置を取り外すときは、さらに危険性が増し、落下事故のみならず操作者が怪我する可能性もある。
【特許文献１】実開平２−１２３２４６号公報
【発明の開示】
【発明が解決しようとする課題】
【０００３】
本発明は、このような上記問題点に鑑みてなされたもので、医療用装置をポールに固定する際の落下事故、医療事故を防ぐことが可能なで操作が容易な医療装置用クランプを提供することにある。
【課題を解決するための手段】
【０００４】
上記目的を達成するために、本発明の医療装置用クランプは、医療装置を被把持要素に対して着脱自在に固定する医療装置用クランプであって、医療装置用クランプは被把持要素と部分的に囲むように接触するクランプ本体部と、被把持要素の長手方向の軸に対して垂直な軸を中心として回転自在であり、かつ被把持要素をクランプ本体部に対して付勢力により常に押圧可能な手段と、被把持要素と接触する部位において摩擦抵抗を増大する手段とを有することにより、医療装置を被把持要素に対して第1次的に固定可能、もしくは操作者が医療装置を容易に保持可能な第１クランプ部と、被把持要素に接触する押圧部と、押圧部にて被把持要素を該クランプ本体部に対して圧縮的に押圧可能とする機構により医療装置を被把持要素に対して第２次的に確実に固定可能な第２クランプ部を具備し、第1クランプ部による第１次的な固定をした後に、第２クランプ部にて第2次的な固定をすることにより医療装置を被把持部に固定可能とすることを特徴とする。
【０００５】
また、クランプ本体部に被把持要素を押圧している前記第１クランプ部を解放可能にする解放手段を具備することを特徴とする。また、第1クランプにおいて、被把持部と接触する部位に水平方向に溝を形成する、かつ／あるいはゴム(ＳＢＲ，ＥＰＤＭ，アクリルゴム等の合成ゴム等)等の摩擦係数の大きな素材を付加することにより、被把持要素と第1クランプとの間の摩擦抵抗を増大させることを特徴とする。
【０００６】
また、第２クランプ部は、押圧部と、押圧部と連結されたネジ付きシャフトと、ネジ付きシャフトを手動にて駆動可能なノブまたはレバーから成り、ネジ付きシャフトと係合するネジ穴が前記クランプ本体部に備えられていることにより、ノブまたはレバーを回転操作することで押圧部が該被把持部を該クランプ本体部に対して圧縮的に押圧可能となることを特徴とする。
【０００７】
また、押圧部と、クランプ本体に回転自在で取付けられていて、かつその回転軸上にネジ穴が形成されているノブまたはレバーと、ネジ穴と係合するネジ付きシャフトから成り、ノブまたはレバーを回転移動させることで、押圧部が被把持要素を前記クランプ本体に圧縮的に押圧可能な第２クランプ部において、第２クランプ部は押圧部が被把持要素を押圧する方向に付勢力を有し、かつネジ付きシャフトは側面上のある角度の弧においてネジ部を有していなく、かつノブまたはレバーのネジ穴においてネジ付きシャフトのネジ部を有する角度以上の範囲においてネジ部を有していないことより、ノブまたはレバーが特定の位置にある場合にネジ付きシャフトの雄ネジ部とノブまたはレバーのネジ穴の雌ネジ部が係合されず、押圧部と押圧部に連結されているネジ付きシャフトが、付勢力により被把持要素と接触する位置まで押圧する方向にスライドすることにより、ノブまたはレバーを少ない角度だけ手動で回転させることで容易に押圧部が被把持部をクランプ本体部に対して圧縮的に押圧可能となることを特徴とする。
【発明の効果】
【０００８】
本発明の医療装置用クランプは、被把持要素であるポールに対してワンタッチで容易に挿入可能であり、かつ挿入と同時に第1クランプが付勢力および医療装置の自重を利用してポールを押圧することで医療装置をポールに第１次的に固定可能となることにより、操作者は医療装置から一旦手を離してから、もしくは片手にて軽い力で医療装置を保持しながら、第2クランプを操作することで医療装置をポールに完全に固定可能となる。このことより、医療装置をポールに固定する際の落下事故、医療事故を防ぐことが可能となり、また、従来は１人で作業することが困難または不可能であったような操作者にとって重い医療装置においても1人で作業可能になり、医療業務の効率向上が可能となる。また、医療装置の取り外し作業においては、第2クランプを解放しても第1クランプにて医療装置をポールに第１次的に固定している、もしくは操作者が片手で容易に保持可能であるため医療装置の落下可能性は極めて少なくなり、また、操作者は両手で医療装置をポールから取り外すことが可能となるため、容易かつ安全に作業が実施可能となる。
【発明を実施するための最良の形態】
【０００９】
以下、本発明の医療装置用クランプを添付図面に示す好適構成例に基づいて詳細に説明する。図１は、本発明の医療装置用クランプ１００の実施例の一例を示す全体図であり、図１（ａ）は上面図、図１（ｂ）は正面図、図１（ｃ）は斜視図、図１（ｄ）は断面図である。また、図２は、図１に示す第1クランプ部１０１の詳細を示す斜視図である。また、図3は、医療装置用クランプを被把持要素であるポールに着脱する一連の流れを示す図であり、図3（a）は取り付け手順を図３（ｂ）は取り外し手順を示している。また、図４は医療装置用クランプ１００が被把持要素に簡易的に固定されている状態における第1クランプ部が被把持要素を押圧する力を示す図である。
【００１０】
図１において医療装置用クランプ１００は、ポール１１０を部分的に囲むように接触するように形成された溝部１０７を有するクランプ本体(固定手段)１０６と、付勢力方向１０８の方向に付勢部材としてのねじりコイルバネ１１２により付勢力を有する第1クランプ部１０１と、手動にてポール１１０を溝部１０７に圧縮的に押圧可能な第2クランプ部１０２とで構成されている。尚、医療装置用クランプ１００と医療装置１１１は、ネジにて固定されている。ここで、医療装置１１１は、輸液ポンプ，シリンンジポンプ，医療装置モニタ等が含まれる。クランプ本体１０６は、医療装置用クランプ１００をポール１１０に取り付ける際にポール１１０が通るクランプ開口部１０９を有し、かつクランプ開口部１０９のエッヂ部はポール１１０が所定位置までスムーズに挿入可能なように大きく面取りが施されている。
【００１１】
溝部１０７は、被把持要素のポール１１０との摩擦抵抗を増大させる目的で複数箇所(少なくとも2箇所)でポール１１０と接触させるためにポール１１０を部分的に囲むような形状となっている。第１クランプ部１０１は、ポール１１０の長手方向に対して垂直な軸である第１クランプ回転軸２０１において回転自在であり、付勢部材としてのねじりコイルバネ１１２によってかかる付勢力方向１０８の方向の付勢力によりポール１１０を常に溝部１０７に押圧している。また、第１クランプ部１０１がポール１１０を押圧する際に接触する部位は溝部１０７と同様にポール１１０との摩擦抵抗を増大させる目的で複数箇所(少なくとも2箇所)でポール１１０と接触させるためにポール１１０を部分的に囲むような形状となっており、かつ水平方向に第１クランプ溝部２０３が形成されている。第１クランプ溝部２０３の溝深さは、適切な摩擦力を生ずるために１〜２ｍｍ程度である。第１クランプ溝部２０３は、さらに、ゴム(ＳＢＲ，ＥＰＤＭ，アクリルゴム等の合成ゴム等)等の摩擦係数の大きな素材を付加することにより、クランプとの間の摩擦抵抗を増大させることができる。あるいはまた、溝部２０３を設けずに、ゴム(ＳＢＲ，ＥＰＤＭ，アクリルゴム等の合成ゴム等)等の摩擦係数の大きな素材のみで形成してもよい。また、医療装置用クランプ１００をポール１１０に取付ける際にポール１１０が接触する第１クランプ部１０１のクランプ開口部側にテーパ形状およびＲ形状の第1クランプテーパ部２０２を形成することで、ポール１１０が第１クランプ部１０１を押し下げ容易にしている。
【００１２】
第２クランプ部１０２は、被把持要素を直接押圧する押圧部１０３と押圧部１０３と連結しているネジ付きシャフト１０４およびネジ付きシャフト１０４を手動にて駆動する機能を有するノブ１０５から構成されている。ここで、ネジ付きシャフト１０４と係合するネジ穴は、図１（ｄ）に示すようにクランプ本体１０６に形成されており、ノブ１０５を回転させることにより押圧部１０３がポール１１０をネジ付きシャフト１０４の軸方向に駆動可能な構造となっている。
【００１３】
次に、図３を用いて医療装置用クランプ１００をポール１１０に固定する方法の詳細を説明する。まず図３（ａ）に示すように医療装置用クランプ１００のクランプ開口部１０９からポール１１０をポール位置３０１までポール１１０にて第１クランプ部１０１を押し下げながら挿入される。この状態で操作者が手を離すと、第１クランプ部１０１は付勢力および医療装置の自重を利用してポール１１０を溝部１０７に押圧する。このときの第１クランプ１０１がポール１１０を押圧する力は図４に示す医療装置の自重Ｗによる押圧力  Ｗ／tanθと付勢力Ｆによる押圧力Ｆ・sinθとを和したものとなり、医療装置用クランプ１００とポール１１０との間の摩擦係数がμであるとすると、次の (1) 式が成り立つ場合に医療装置用クランプ１００はポールに第１次的に固定される。
μ・（Ｗ／tanθ ＋ Ｆ・cosθ）≧Ｗ − Ｆ・sinθ・・・(1)
【００１４】
本実施例においては第１クランプ部１０１の組み立て位置および寸法、および第１クランプ部１０１の先端のポール１１０と接触する部分に水平方向に溝を形成することで (1) 式が成り立つように設定している。次に第２クランプ部１０２を構成しているノブ１０５を時計回りに回転させることでネジ付きシャフト１０４と連結している押圧部１０３がポール１１０を溝部１０７に圧縮的に押圧する方向に駆動し、押圧することで医療装置用クランプ１００をポール１１０に第２次的に確実に固定される。
【００１５】
次に、医療装置用クランプ１００とポール１１０との固定を解放する方法について説明する。固定を解放する場合は、固定する場合と逆の手順で操作することになり、まず第２クランプ部１０２のノブ１０５を半時計回りに回転し、押圧部１０３とポール１１０を十分に離す。このとき (1) 式が成り立っているため第２クランプ部１０２をポール１１０から解放しても医療装置用クランプ１０１はポール１１０に第１次的に固定されている。次に操作者は医療装置１１１を持ち上げながらクランプ開口部１０９の方向に引くことで医療装置用クランプ１００はポール１１０から取り外される。
【００１６】
上記のように医療装置用クランプ１００が被把持要素をワンタッチで容易に第１次的に固定可能な第１クランプ部１０１と手動で第２次的に固定可能な第２クランプ部１０２を有することで、医療装置用クランプ１００をポール１１０に取り付ける場合は、第１クランプ部１０１で第１次的にポール１１０に固定しながら、容易に第２クランプ部１０２を操作可能であり、また、ポール１１０から取り外す場合には、第２クランプ１０２でのポール１１０に対する固定解放後も第１クランプ部１０１によって第１次的にポール１１０に固定されていることで、安全かつ容易な医療装置と被把持要素との着脱操作を実現している。
【００１７】
尚、上記実施例の場合は、第１クランプ部による第１次的な固定のみでも、医療装置は静的な状態でポールに固定されるため、操作者が第２クランプ部による第２次的な固定をし忘れる可能性がある。その場合に、振動等により医療装置が下がっていくことによる医療事故の危険性がある。そこで、上に示した（１）式が成立しないようにあえて各部品の寸法、位置を設定する、もしくは第１クランプ部の先端にロータリーダンパのように粘性を有する回転体を設けるなどによって、第１次的な固定のみでは操作者は軽い力で医療装置を保持可能であるが、両手を離すと医療装置はゆっくりと下がっていくという構造となり、第２次的な固定をし忘れることによる医療事故の軽減が可能となる。
【図面の簡単な説明】
【００１８】
【図１】図１は、本発明の医療装置用クランプの実施例を示す全体図である。
【図２】図２は、図１に示す第１クランプ部の図である。
【図３】図３は、本発明の医療装置用クランプを被把持要素に着脱する流れを示す図である。
【図４】図４は、図１に示す第１クランプ部が被把持要素を押圧する力を示す図である。
【符号の説明】
【００１９】
１００…医療装置用クランプ
１０１…第１クランプ部
１０２…第２クランプ部
１０３…押圧部
１０４…ネジ付きシャフト
１０５…ノブ
１０６…クランプ本体
１０７…溝部
１０８…付勢力方向
１０９…クランプ開口部
１１０…ポール
１１１…医療装置
１１２…ねじりコイルバネ
２０１…第１クランプ回転軸
２０２…第１クランプテーパ部
２０３…第１クランプ溝部
３０１…ポール位置
【図１】
2006218172.tif 000003
【図２】
2006218172.tif 000004
【図３】
2006218172.tif 000005
【図４】
2006218172.tif 000006